(57)【特許請求の範囲】
【請求項１】
正逆回転と停止が制御され、外周の一部にテープを接触させるテンション駆動ローラに対して、テープをテンション駆動ローラに押付け、テープを前方に位置するテープガイドに送り出すフィードローラと、フィードローラよりも下部の位置で、テープをテンション駆動ローラに対して押付け、テープを引き締める従動ローラを配置し、前記フィードローラのテンション駆動ローラに対して接する位置を、テープガイドの長さ方向の中心線とテンション駆動ローラの外周が接する部分に設定した自動梱包機のテープ送り出し引き締め機構において、
前記フィードローラを、揺動自在となるフィードアームに回転可能に枢止し、テープの送り出し工程時に梱包用テープをテンション駆動ローラに押付け、このテープ押付け力を、テープの走行中に走行障害が発生した場合に、テンション駆動ローラとテープがスリップするように設定され、テープの引き締め工程時に前記フィードアームを駆動機で押上げることによりテンション駆動ローラから離反させるように形成し、
前記従動ローラを、テープの引き締め工程時に、テープをテンション駆動ローラに押付けてテープを引き締める引き締め力が、スプリングの弾性によって得られる一次引き締め力とテンションカムによって得られるそれよりも強力な二次引き締め力に変化するように二段階的に設定され、テープの送り出し工程時に離反するように形成し、
前記フィードローラと従動ローラの位置関係を、フィードローラの中心とテンション駆動ローラの中心を結んだラインと、従動ローラの中心とテンション駆動ローラの中心を結んだラインが鈍角になるよう設定したことを特徴とする自動梱包機のテープ送り出し引き締め機構。
【発明の詳細な説明】
【技術分野】
【０００１】
この発明は、被梱包物の外周を熱可塑性の梱包用のテープで巻き締め、このテープを途中で切断した後、その両端を溶着することによって梱包するようにした梱包機において、テープの送り出し工程時に予備テープの貯蔵構造を省いてテープ送り込み時間を短縮すると共に、テープの送り完了後に次回の結束に支障になるテープ折れやシワ、不良テープの発生を防止するようにした自動梱包機のテープ送り出し引き締め機構に関する。
【背景技術】
【０００２】
被梱包物の外周を熱可塑性のテープで巻き締める自動梱包機は、被梱包物を載置するテーブル上にテープ誘導アーチを立設し、テーブル内にテープの切断溶着機構と、テープ送り出し引き締め機構を配置して形成されている。
【０００３】
上記梱包用テープの切断溶着機構は、テーブルの天板に設けた開口部にシールプレートを進退動するように配置し、前進位置にあるシールプレートの直下の位置に、このシールプレートの下部に先端が進入したテープをシールプレートとで固持する第１クランプと、引き締め後のテープの先端部と途中を重ねてシールプレートとで固持する第２クランプと、前記第１クランプと第２クランプの間に位置し、テープの第１クランプと第２クランプの間に位置する重なり部分をヒータで加熱加圧して溶着する加圧器をそれぞれ昇降動するように配置している。
【０００４】
また、テープ送り出し引き締め機構は、正逆回転と停止が制御され、外周の一部にテープを接触させるテンション駆動ローラに対して、テープをテンション駆動ローラに押付け、テープを引き締める従動ローラを配置した構造になっている（例えば、特許文献１参照）。
【０００５】
リールから引き出したテープは、テープ送り出し引き締め機構で、上記第１クランプの上端部に設けたテープの通過孔からシールプレートの下方に送り出し、被梱包物の外周に巻回したテープの先端をシールプレートの下部に挿入すると、上記第１クランプと第２クランプ及び加圧器がそれぞれ所定のタイミングで昇降動することにより、被梱包物を巻き締めたテープの途中の切断と、ヒータによるテープの両端の加熱加圧による溶着を行い、この後、シールプレートが退動してテープと被梱包物の間から抜けることで梱包が完了し、被梱包物をテーブル上から取出すことができる。
【０００６】
上記のような自動梱包機においては、梱包時間の短縮によるユーザの生産性の向上と機械の信頼性及び梱包のコストダウンが要望されているが、梱包時間の短縮については、アーチに対するテープの送り込みに要する時間を短かくすることによって達成でき、また、機械の信頼性及び梱包のコストダウンについては、アーチに送り込んだテープに、テープ折れやシワ、不良テープが発生しないようにすれば達成できると考えられる。
【０００７】
従来の自動梱包機において、アーチに対するテープの送り込みに要する時間を短かくする方法は、テーブル内でテープ送り出し引き締め機構とリールの間に、予備テープの貯蔵機構を設け、この貯蔵機構の内部にアーチの全長に見合う長さのテープを常時貯留しておき、テープ送り出し工程時に貯蔵機構のテープを引き出してアーチに装填するようにしており、テープの引き出し時に静止慣性を持っているリールを回転させるための負荷がかからないため、テープの送り出しが高速で行え、結果として、テープの送り込みに要する時間を短かくすることができる（例えば、特許文献２参照）。
【０００８】
また、テープの送り完了後に次回の結束に支障になるテープ折れやシワ、不良テープの発生を防止するためには、テープ送り工程時での外乱、例えば、第１クランプと第２クランプ及び加圧器の下降不良、テープ走行経路内での異物の存在等によるテープ走行障害が発生しても、テープ折れやシワ、不良テープが生じないようにしなければならない。
【特許文献１】特開２００２−１１４２０５号公報
【特許文献２】特開平７−１０１１７号公報
【発明の開示】
【発明が解決しようとする課題】
【０００９】
ところで、テーブル内でテープ送り出し引き締め機構とリールの間に、予備テープの貯蔵機構を設けると、貯蔵機構の確保のためにテーブルが大型化すると共に、リールから不足長さのテープを貯蔵機構に補充するためにテープを引き出すための機構を別に設けなければならず、自動梱包機の製作コストが高くなる。
【００１０】
また、従来の自動梱包機において、テープを前方に位置するテープガイドに送り出すフィードローラは、常時テープをテンション駆動ローラに押付ける構造になっているので、テープ走行経路内でのテープ走行障害が発生しても、これを回避する機能はなく、テープに次回の結束に支障となる不良テープが発生し、梱包作業の中断による作業能率の低下や不良テープの処理によるコストアップを招くという問題がある。
【００１１】
そこで、この発明の課題は、予備テープの貯蔵機構を省いてテープの送り込み時間の短縮を図り、かつ、不良テープの発生を防ぐことができる自動梱包機のテープ送り出し引き締め機構を提供することにある。
【課題を解決するための手段】
【００１２】
上記のような課題を解決するため、この発明は、正逆回転と停止が制御され、外周の一部にテープを接触させるテンション駆動ローラに対して、テープをテンション駆動ローラに押付け、テープを前方に位置するテープガイドに送り出すフィードローラと、フィードローラよりも下部の位置で、テープをテンション駆動ローラに対して押付け、テープを引き締める従動ローラを配置し、前記フィードローラのテンション駆動ローラに対して接する位置を、テープガイドの長さ方向の中心線とテンション駆動ローラの外周が接する部分に設定した自動梱包機のテープ送り出し引き締め機構において、前記フィードローラを、揺動自在となるフィードアームに回転可能に枢止し、テープの送り出し工程時に梱包用テープをテンション駆動ローラに押付け、このテープ押付け力を、テープの走行中に走行障害が発生した場合に、テンション駆動ローラとテープがスリップするように設定され、テープの引き締め工程時に前記フィードアームを駆動機で押上げることによりテンション駆動ローラから離反させるように形成し、前記従動ローラを、テープの引き締め工程時に、テープをテンション駆動ローラに押付けてテープを引き締める引き締め力が、スプリングの弾性によって得られる一次引き締め力とテンションカムによって得られるそれよりも強力な二次引き締め力に変化するように二段階的に設定され、テープの送り出し工程時に離反するように形成し、前記フィードローラと従動ローラの位置関係を、フィードローラの中心とテンション駆動ローラの中心を結んだラインと、従動ローラの中心とテンション駆動ローラの中心を結んだラインが鈍角になるよう設定した構成を採用したものである。
【００１４】
上記フィードローラのテープ押付け力は、自重もしくはスプリングの押圧力を用い、フィードアームを押上げる駆動機はソレノイドを使用している。
【００１５】
また、従動ローラは、テンション駆動ローラの下部に配置したテンションアームの上端部に回転自在に枢止され、テンションアームは中間部が支点軸で固定部分に枢止されて揺動自在となり、支点軸よりも上方をスプリングで引圧されることで、従動ローラに一次引き締め力となる弾性を付勢し、また、支点軸よりも下方位置の上下側面に、テンション開放ローラと二次引き締め力となる強引き締め用ローラを取付け、両ローラ間に配置したテンションカムの回転で何れかのローラを作用させることにより、テンション開放と二次引き締めが得られるようになっている。
【００１６】
なお、上記フィードローラと従動ローラは複列のベアリングを用い、回転の円滑化によりテープの送り出しと引き締めが滑らかとなり、耐摩耗性の向上を図るようにするのが好ましい。
【発明の効果】
【００１７】
この発明によると、リールからのテープ引き出し時に、静止慣性にあるリールからテープを引き出すことによって衝撃的にテープ送りを停止させる力が、テープをテンション駆動ローラに圧接させることになり、この時、フィードローラと従動ローラの位置関係を、フィードローラの中心とテンション駆動ローラの中心を結んだラインと、従動ローラの中心とテンション駆動ローラの中心を結んだラインが鈍角になるよう設定しておけば、テンション駆動ローラとテープの周方向の接線を長く確保でき、これにより、テンション駆動ローラとテープの摩擦力が増大し、この摩擦力によってリールからテープを引き出す力が増幅され、予備テープの貯蔵がなくても停止するリールから瞬時にテープを高速で引き出すことができ、予備テープの貯蔵機構を省いてテープの送り込み時間の短縮を図ることで、装置全体の小型化と機構の簡略化が可能になる。
【００１８】
また、フィードローラを、テープの送り出し工程時にテープをテンション駆動ローラに押付け、テープの引き締め工程時に離反するようにし、かつ、フィードローラのテープの送り出し工程時におけるテープ送り力を、テープの走行中に走行障害が発生した場合に、テンション駆動ローラとテープがスリップするように設定したので、アーチに送り込まれるテープの走行中に走行障害が発生すると、テンション駆動ローラに対してテープはスリップすることで停止し、走行障害を強制通過することが原因で、テープの送り完了後に次回の結束に支障になるテープ折れやシワ、不良テープの発生を防止することができる。
【発明を実施するための最良の形態】
【００１９】
以下、この発明の実施の形態を添付図面に基づいて説明する。
【００２０】
図１のように、熱可塑性のテープＡを用いて被梱包物Ｂを結束する自動梱包機は、被梱包物Ｂを載置するテーブル１の天板２上にテープ誘導アーチ３を立設し、テーブル１内にテープＡの切断溶着機構４と、テープ送り出し引き締め機構５を配置して形成されている。
【００２１】
上記テープＡの切断溶着機構４は、テーブル１の天板２に設けた開口部にシールプレート６を進退動するように配置し、前進位置にあるシールプレート６の直下の位置に、このシールプレート６の下部に先端が進入したテープＡをシールプレート６とで固持する第１クランプ７と、引き締め後のテープＡの先端部と途中を重ねてシールプレート６とで固持する第２クランプ８と、前記第１クランプ７と第２クランプ８の間に位置する加圧器９が図１の右から左へ順に配置され、更に、加圧器９の上部位置に、テープＡの重なり部分を加熱加圧して溶着するヒータ１０が設けられ、第１クランプ７と第２クランプ８及び加圧器９は、モータ１１で駆動されるカム軸１２のカム１３、１４、１５によってそれぞれタイミングを合わせて昇降動するようになっている。
【００２２】
上記したテーブル１の上のアーチ３は、下部切り離しの枠状に形成され、前後に移動可能で、後退位置にある状態で、入り側端部がシールプレート６の下方に位置し、出側端部がシールプレート６の一方側縁の下面に臨むように立設されている。
【００２３】
上記第１クランプ７と第２クランプ８及び加圧器９は、互に重なる状態でそれぞれ昇降動自在となるよう、第１クランプ７と第２クランプ８の重なり方向の外側で下部の位置を重なり方向の両側に設けた定位置ガイド部材１６で誘導し、第１クランプ７と第２クランプ８の重なり方向の外側で上部の位置を重なり方向の両側から定位置ガイド部材１７と加圧ローラ１８で重なり方向に押圧した状態で誘導し、加圧器９の上昇時に、第１クランプ７に設けた通過孔の開口部上端縁の刃部と加圧器９の上端縁の刃部によってテープＡを切断することになる。
【００２４】
上記テープ送り出し引き締め機構５は、図１乃至図３のように、モータ（図示省略）で正逆回転と停止が制御されるテンション駆動ローラ１９と、カム軸１２のカム２０によってテンション駆動ローラ１９の下部寄りの位置に対する圧接と離反が制御される従動ローラ２１と、テンション駆動ローラ１９の上部に自重もしくはばね圧や錘で当接するフィードローラ２２と、リール２３から引き出したテープＡをテンション駆動ローラ１９と従動ローラ２１の間に挿入するための垂直の縦ガイド２４と、テープＡをテンション駆動ローラ１９と従動ローラ２１の間からテンション駆動ローラ１９とフィードローラ２２の間に誘導するガイド２５と、テンション駆動ローラ１９とフィードローラ２２の間から上記第１クランプ７の上端部に設けたテープＡの通過孔にテープＡを誘導する筒状のテープガイド２６とによって形成されている。
【００２５】
上記フィードローラ２２は、テンション駆動ローラ１９の上部の位置に配置され、一端の枢軸２７を支点に揺動自在となるフィードアーム２８の途中に回転可能に枢止され、テープ引き締め工程時に、このフィードアーム２８の他端をソレノイドのような駆動機２９で押上げることにより、フィードローラ２２をテンション駆動ローラ１９から離反させるようになっている。
【００２６】
上記フィードローラ２２は、テープ送り出し工程時のみ、テープＡをテンション駆動ローラ１９に押付け、このフィードローラ２２のテープ押付け力は、自重もしくはスプリングや錘の押圧力を用い、このテープ押付け力は、アーチ３に送り込まれるテープＡの走行中に走行障害が発生すると、テンション駆動ローラ１９に対してテープＡがスリップするように設定されている。
【００２７】
また、上記従動ローラ２１は、テープＡをテンション駆動ローラ１９に押付けてテープＡを引き締める引き締め力が、一次引き締め力とそれよりも強力な二次引き締め力に変化するように設定され、一次引き締め力はスプリング３０の弾性によって得られるようにし、二次引き締め力はカム軸１２のテンションカム２０によって得られるようになっている。
【００２８】
また、従動ローラ２１は、テンション駆動ローラ１９の下部に配置したテンションアーム３１の下向きに屈曲させた上端部に枢軸３２で回転自在に枢止され、テンションアーム３１は中間部が支点軸３３で固定部分に枢止されて揺動自在となり、支点軸３３よりも上方を固定部分との間に張設したスプリング３０で引圧されることで、従動ローラ２１にテンション駆動ローラ１９へ圧接する方向の一次引き締め力となる弾性を付勢し、また、テンションアーム３１の支点軸３３よりも下方位置の上下側面に、上部に位置するテンション開放ローラ３４と、下部に位置する二次引き締め力となる強引き締め用ローラ３５を取付け、両ローラ３４と３５間には、カム軸１２に取り付けたテンションカム２０が配置され、このテンションカム２０は、図２（ｂ）のように凸部２０ａと凹部２０ｂを有し、その回転で何れかのローラ３４又は３５を作用させることにより、テンション開放と二次引き締めが得られるようになっている。
【００２９】
上記フィードローラ２２のテンション駆動ローラ１９に対して接する位置は、テープガイド２６の長さ方向の中心線とテンション駆動ローラ１９の外周が接する部分に設定し、また、フィードローラ２２と従動ローラ２１の位置関係を、図２（ａ）のように、フィードローラ２２の中心とテンション駆動ローラ１９の中心を結んだラインと、従動ローラ２１の中心とテンション駆動ローラ１９の中心を結んだラインが鈍角ｃになるよう設定し、テンション駆動ローラ１９とテープＡの周方向の接線を長く確保することにより、テンション駆動ローラ１９とテープＡの摩擦力を増大するようにしている。
【００３０】
また、上記フィードローラ２２と従動ローラ２１は、複列のベアリングを用い、回転の円滑化によりテープの送り出しと引き締めが滑らかとなり、ユニット化と共にメンテナンス性、耐摩耗性の向上を図るようにしている。
【００３１】
この発明の自動梱包機のテープ送り出し引き締め機構は、上記のような構成であり、アーチ３にテープＡを装填するには、第１クランプ７と第２クランプ８及び加圧器９が下降位置にある状態で、リール２３から引き出したテープＡの先端を、縦ガイド２４に沿って、テンション駆動ローラ１９と従動ローラ２１の間、テンション駆動ローラ１９とガイド２５の間、テンション駆動ローラ１９とフィードローラ２２と順次通過させ、バンド送りスイッチを入れる。
【００３２】
テープＡは、テンション駆動ローラ１９の送り出し方向への回転とフィードローラ２２の押圧による圧接力により、テープガイド２６からアーチ３に送り出され、シールプレート６とアーチ３の間にあるテープ検出スイッチ３６を作動させ、テンション駆動ローラ１９を停止させることによりテープＡの装填を完了する。
【００３３】
被梱包物Ｂをテーブル１上に載せてアーチ３内に位置させ、梱包開始スイッチをオンすると、モータ１１によるカム１３の回転で第１クランプ７が上昇し、その上端とシールプレート６とでテープＡの先端側途中を固持し、一次引き締めに備える。また、アーチ３をテープＡのガイド位置から後退させ、一次引き締めに備える。
【００３４】
図２のように、テープ送り込み工程時、テンション開放ローラ３４はテンションカム２０の凸部２０ａで押されているので、従動ローラ２１はテンション駆動ローラ１９から離反して間隔を保っているが、第１クランプ７がテープＡの先端側途中を固持すると、テンション開放ローラ３４はテンションカム２０の凹部２０ｂに落ち込み、スプリング３０の引圧で従動ローラ２１はテンション駆動ローラ１９にテープＡを押付ける。
【００３５】
テンション駆動ローラ１９はテープ引き締め方向に回転し、従動ローラ２１とでテープＡを引き戻すことで一次引き締め工程を行い、所定時間後にカム軸１２は停止する。この一次引き締め工程時に、駆動機２９によるフィードアーム２８の押上げで、フィードローラ２２をテンション駆動ローラ１９から離反させ、一次引き締め工程時にフィードローラ２２がテープＡに関係しないようにする。
【００３６】
一次引き締め工程を一定時間行ってテープＡを引き締めた後、カム軸１２は再度回転し、テンション駆動ローラ１９は回転を続けるが、そのモータの出力トルクは強締めに備えてトルク調整可能回路に切り換える。
【００３７】
カム軸１２の回転でテンションカム２０の凸部２０ａが強締め用ローラ３５を押し下げ、支点軸３３を中心にテンションアーム３１を図３の反時計方向に回動させることにより、従動ローラ２１はテンション駆動ローラ１９にテープＡを強力に押付け、これによって二次引き締めを行う。
【００３８】
テンション駆動ローラ１９は、テープＡを設定トルクで引き締め、テープＡの緊張が設定トルクに達すると、回転が停止してその駆動モータはロック状態になる。
【００３９】
二次引き締め後にカム軸１２のカム１４の回転で第２クランプ８が上昇し、テープＡの先端部と途中を重ねてシールプレート６とで固持し、テープＡの二次引き締め状態を緩まないようにロックする。
【００４０】
上記テンション駆動ローラ１９の駆動モータが停止すると、次に、カム１５によって加圧器９が上昇し、上端の刃部と第１クランプ７の刃部とでテープＡの途中を切断する。
【００４１】
加圧器９が更に上昇すると、加圧器９の上部に取付けたヒータ１０がテープＡを上下二枚重ねにしてシールプレート６との間で圧力をかけ、第１クランプ７と第２クランプ８の間に位置する部分を加熱加圧によって溶着する。
【００４２】
この加圧器９が上昇動するとき第１クランプ７に対して摺動し、第１クランプ７の上端部に設けたテープＡの通過孔の刃部と、加圧器９の上端縁の刃部とでテープＡの途中を丁度裁断機のような押し切りの原理で切断し、切断後に更に上昇することでヒータ１０がテープＡの両端を加圧して溶着する。
【００４３】
この後、加圧器９は下降し、テープＡの溶着部分を冷やす冷却工程に入る。このとき、カム軸１２の回転を止めて、冷却時間を長く取るようにすることもある。
【００４４】
冷却工程が完了すると、カム軸１２の回転で第１クランプ７と第２クランプ８が下降し、テンションアーム３１のテンション開放ローラ３４がテンションカム２０の凸部２０ａで押され、従動ローラ２１はテンション駆動ローラ１９から離反して一定の間隔を保つ。
【００４５】
アーチ３は、初期の位置に戻り、次のテープ送り込みに備え、シールプレート６が退動してテープＡと被梱包物Ｂの間から抜けることで梱包機から分離し、その後シールプレート６は元位置に戻る。
【００４６】
次に、テンション駆動ローラ１９がテープ送り方向に回転し、駆動機１９がフィードアーム２８の押上げを解き、フィードローラ２２がテンション駆動ローラ１９にテープＡを押付けるので、テープ送り工程に入り、アーチ３に装填されたテープＡの先端がテープ検出スイッチ３６を作動させると、瞬時にテンション駆動ローラ１９の回転停止と、駆動機２９によるフィードアーム２８の押上げでフィードローラ２２をテンション駆動ローラ１９から離反させ、テープＡの送りを解除することにより、テープＡに折れやシワが発生するのを防止する。
【００４７】
上記テープＡは、テープ引き締め工程によって余った部分が縦ガイド２４の付近に溜まり、テープ送り工程時、先ず、溜まったテープＡが抵抗なく引き出され、続いてリール２３からテープＡが引き出され、このリール２３からのテープ引き出し時に、静止慣性にあるリール２３からテープＡを引き出すことによって衝撃的にテープ送りを停止させる力が、テープＡをテンション駆動ローラ１９に圧接させることになり、テンション駆動ローラ１９に負荷がかかることでテープ送り出し速度を低下させようとする。
【００４８】
しかし、この発明は、フィードローラ２２と従動ローラ２１の位置関係を、フィードローラ２２の中心とテンション駆動ローラ１９の中心を結んだラインと、従動ローラ２１の中心とテンション駆動ローラ１９の中心を結んだラインが鈍角になるよう設定してあるので、テンション駆動ローラ１９とテープＡの周方向の接線を長く確保でき、テンション駆動ローラ１９とテープＡの摩擦力が増大し、この摩擦力によってリール２３からテープＡを引き出す力が増幅され、予備テープの貯蔵がなくても停止するリール２３から瞬時にテープＡを高速で引き出すことができ、これにより、予備テープの貯蔵機構を省いてテープの送り込み時間の短縮を図ることで、梱包装置全体の小型化と機構の簡略化が可能になる。
【図面の簡単な説明】
【００４９】
【図１】この発明に係るテープ送り出し引き締め機構を備えた自動梱包機の正面図
【図２】（ａ）はテープ送り出し引き締め機構のテープ送り出し工程時の状態を拡大した正面図、（ｂ）は同縦断側面図
【図３】（ａ）はテープ送り出し引き締め機構のテープ引き締め工程時の状態を拡大した正面図、（ｂ）は同縦断側面図
【符号の説明】
【００５０】
１        テーブル
２        天板
３        テープ誘導アーチ
４        切断溶着機構
５        テープ送り出し引き締め機構
６        シールプレート
７        第１クランプ
８        第２クランプ
９        加圧器
１０      ヒータ
１１      モータ
１２      カム軸
１３      カム
１４      カム
１５      カム
１６      定位置ガイド部材
１７      定位置ガイド部材
１８      加圧ローラ
１９      テンション駆動ローラ
２０      カム
２１      従動ローラ
２２      フィードローラ
２３      リール
２４      縦ガイド
２５      ガイド
２６      テープガイド
２７      枢軸
２８      フィードアーム
２９      駆動機
３０      スプリング
３１      テンションアーム
３２      枢軸
３３      支点軸
３４      テンション開放ローラ
３５      強引き締め用ローラ
３６      テープ検出スイッチ
【図１】
0004681392.tif 000002
【図２】
0004681392.tif 000003
【図３】
0004681392.tif 000004